(57)【要約】【課題】安全性の高い天然物から、消臭作用を有する物質を見出し、それを利用した消臭剤を提供する。【解決手段】本発明の消臭剤は、ワレモコウの根部及び根茎部からの抽出物を有効成分として含有する。この消臭剤は、ノネナールによる臭気に対する消臭用であるのが好ましい。これにより、特に加齢に伴って特異的に生じる体臭である加齢臭を予防又は改善することができる。【選択図】なし【特許請求の範囲】
【請求項１】
ワレモコウの根部及び根茎部からの抽出物を有効成分として含有することを特徴とする消臭剤。
【請求項２】
ノネナールによる臭気に対する消臭用であることを特徴とする請求項１に記載の消臭剤。
【発明の詳細な説明】
【技術分野】
【０００１】
本発明は、消臭剤に関し、特に加齢臭の主要な原因物質と考えられているノネナールによる臭気に対する消臭効果に優れる消臭剤に関する。
【背景技術】
【０００２】
最近のデオドラントブーム下では加齢に伴って生じる体臭が注目されており、それを炭、ヤシガラ活性炭等の多孔性担体に吸着させることにより除去する方法（特許文献１）、原因常在菌の繁殖を抑制する方法（特許文献２）、香料成分でマスキングする方法等が知られている。この加齢に伴って特異的に生じる体臭である加齢臭は、不快なものであるため、当該加齢臭に対する効果的、かつ持続的な消臭方法が望まれている。
【０００３】
体臭の原因となる物質の種類としては、脂肪酸（非特許文献１参照）や男性ホルモンの誘導体（非特許文献２，３参照）の他、多岐にわたることが知られている。一方で、加齢臭の主要な原因物質として知られているノネナールは、加齢臭が発生する年齢とされる４０歳以降に特異的に増大するが、このノネナールは、不飽和脂肪酸の酸化的分解によって発生し、過酸化脂質がその酸化的分解を促進することが知られている（非特許文献４参照）。しかしながら、従来、このノネナールによる臭気を特異的に消臭することができ、安価であり、かつ安全性の高い消臭剤は知られていない。
【先行技術文献】
【特許文献】
【０００４】
【特許文献１】特開２００２−１４５７４７号公報
【特許文献２】特開２００８−１１０９９９号公報
【非特許文献】
【０００５】
【非特許文献１】Zeng XN，et al；Analysis of characteristic odors from human male axillae．，J Chem Ecol，17：p.1469-1492，1991
【非特許文献２】Labows JN. et al．，Steroids，1979，Vol.34，p.249-258
【非特許文献３】Gower DB，et al．，J Steroid Biochem Mol Biol，1994，Vol.48，p.409-418
【非特許文献４】Haze et al., The Journal of Investigative Dermatology, Vol.116, No.4, 2001, pp.520-524
【発明の概要】
【発明が解決しようとする課題】
【０００６】
本発明は、安全性の高い天然物から、消臭作用、特にノネナールによる臭気に対する消臭作用を有する物質を見出し、それを利用した消臭剤を提供することを目的とする。
【課題を解決するための手段】
【０００７】
上記課題を解決するため、本発明は、ワレモコウの根部及び根茎部からの抽出物を有効成分として含有することを特徴とする消臭剤を提供する。かかる消臭剤は、ノネナールによる臭気に対する消臭用として好適に用いることができる。
【発明の効果】
【０００８】
本発明の消臭剤は、優れた消臭作用を発揮し得るものであり、特に加齢臭の主要な原因物質であるノネナールによる臭気に対して極めて優れた消臭作用を発揮し得るため、加齢臭を予防又は改善することができる。
【発明を実施するための形態】
【０００９】
以下、本発明について説明する。
本発明の消臭剤は、ワレモコウの根部及び根茎部からの抽出物を有効成分として含有する。なお、本発明の消臭剤の消臭対象となる臭気としては、例えば、加齢臭の主要な原因物質であるノネナールによる臭気等が挙げられるが、これに限定されるものではない。
【００１０】
本発明において「ワレモコウの根部及び根茎部からの抽出物」には、ワレモコウの根部及び根茎部を抽出原料として得られる抽出液、当該抽出液の希釈液若しくは濃縮液、当該抽出液を乾燥して得られる乾燥物、又はこれらの粗精製物若しくは精製物のいずれもが含まれる。
【００１１】
本発明の消臭剤の有効成分であるワレモコウの根部及び根茎部からの抽出物は、抽出原料としての植物であるワレモコウ（学名：Sanguisorba officinalis L.）の根部及び根茎部（生薬名：ジユ）を用いた抽出処理により得ることができる。
【００１２】
ワレモコウ（Sanguisorba officinalis L.）は、日本列島、朝鮮半島、中国大陸、シベリア等に広く分布するバラ科ワレモコウ属に属する多年草であって、これらの地域から容易に入手することができる。
【００１３】
ワレモコウの根部及び根茎部からの抽出物に含まれる消臭作用を有する物質の詳細は不明であるが、植物の抽出に一般に用いられている抽出方法によって、ワレモコウの根部及び根茎部から消臭作用、特にノネナールによる臭気に対する消臭作用を有する抽出物を得ることができる。
【００１４】
例えば、抽出原料であるワレモコウの根部及び根茎部を乾燥した後、そのまま又は粉砕機を用いて粉砕し、抽出溶媒による抽出に供することにより、消臭作用を有する抽出物を得ることができる。乾燥は天日で行ってもよいし、通常使用される乾燥機を用いて行ってもよい。また、ヘキサン等の非極性溶媒によって脱脂等の前処理を施してから抽出原料として使用してもよい。脱脂等の前処理を行うことにより、極性溶媒による抽出処理を効率よく行うことができる。
【００１５】
抽出溶媒としては、極性溶媒を使用するのが好ましく、例えば、水、親水性有機溶媒等が挙げられ、これらを単独で又は２種以上を組み合わせて、室温又は溶媒の沸点以下の温度で使用することが好ましい。
【００１６】
抽出溶媒として使用し得る水としては、純水、水道水、井戸水、鉱泉水、鉱水、温泉水、湧水、淡水等のほか、これらに各種処理を施したものが含まれる。水に施す処理としては、例えば、精製、加熱、殺菌、濾過、イオン交換、浸透圧調整、緩衝化等が含まれる。したがって、本発明において抽出溶媒として使用し得る水には、精製水、熱水、イオン交換水、生理食塩水、リン酸緩衝液、リン酸緩衝生理食塩水等も含まれる。
【００１７】
抽出溶媒として使用し得る親水性有機溶媒としては、メタノール、エタノール、プロピルアルコール、イソプロピルアルコール等の炭素数１〜５の低級脂肪族アルコール；アセトン、メチルエチルケトン等の低級脂肪族ケトン；１，３−ブチレングリコール、プロピレングリコール、グリセリン等の炭素数２〜５の多価アルコール等が挙げられる。
【００１８】
２種以上の極性溶媒の混合液を抽出溶媒として使用する場合、その混合比は適宜調整することができる。例えば、水と低級脂肪族アルコールとの混合液を使用する場合には、水１０容量部に対して低級脂肪族アルコール１〜９０容量部を混合することが好ましく、水と低級脂肪族ケトンとの混合液を使用する場合には、水１０容量部に対して低級脂肪族ケトン１〜４０容量部を混合することが好ましく、水と多価アルコールとの混合液を使用する場合には、水１０容量部に対して多価アルコール１〜９０容量部を混合することが好ましい。
【００１９】
抽出処理は、抽出原料に含まれる可溶性成分を抽出溶媒に溶出させ得る限り特に限定はされず、常法に従って行うことができる。例えば、抽出原料の５〜１５倍量（質量比）の抽出溶媒に抽出原料を浸漬し、常温又は還流加熱下で可溶性成分を抽出させた後、濾過して抽出残渣を除去することにより抽出液を得ることができる。得られた抽出液は、該抽出液の希釈液若しくは濃縮液、該抽出液の乾燥物、又はこれらの粗精製物若しくは精製物を得るために、常法に従って希釈、濃縮、乾燥、精製等の処理を施してもよい。
【００２０】
精製は、例えば、活性炭処理、吸着樹脂処理、イオン交換樹脂処理等により行うことができる。得られた抽出液はそのままでも消臭剤の有効成分として使用することができるが、濃縮液又は乾燥物としたものの方が使用しやすい。
【００２１】
以上のようにして得られるワレモコウの根部及び根茎部からの抽出物は、消臭作用を有しており、特にノネナールによる臭気に対する消臭作用を有しているため、その作用を利用して消臭剤の有効成分として用いることができ、特にノネナールによる臭気に対する消臭剤の有効成分として好適に用いることができる。
【００２２】
本発明の消臭剤は、ワレモコウの根部及び根茎部からの抽出物のみからなるものであってもよいし、ワレモコウの根部及び根茎部からの抽出物を製剤化したものであってもよい。
【００２３】
ワレモコウの根部及び根茎部からの抽出物は、デキストリン、シクロデキストリン等の薬学的に許容し得るキャリアーその他任意の助剤を用いて、常法に従い、粉末状、顆粒状、錠剤状、液状等の任意の剤形に製剤化することができる。この際、助剤としては、例えば、賦形剤、結合剤、崩壊剤、滑沢剤、安定剤、矯臭剤等を用いることができる。ワレモコウの根部及び根茎部からの抽出物は、他の組成物（化粧料組成物等）に配合して使用することができるほか、軟膏剤、外用液剤等として使用することもできる。
【００２４】
なお、本発明の消臭剤は、必要に応じて消臭作用、特にノネナールによる臭気に対する消臭作用を有する他の天然抽出物等を配合して有効成分として用いることができる。
【００２５】
本発明の消臭剤は、加齢臭等の臭気を発する部位（表皮）に塗布又は噴霧することにより投与することができる。また、本発明の消臭剤の投与量も、投与対象者の個人差、投与方法、投与期間等によって適宜増減すればよい。
【００２６】
本発明の消臭剤は、ワレモコウの根部及び根茎部からの抽出物が有する消臭作用を通じて臭気を消臭することができる。特に、本発明の消臭剤は、ノネナールによる臭気に対する消臭作用に優れるため、かかる消臭作用を通じて、加齢臭を予防又は改善することができるとともに、加齢臭予防・改善剤、デオドラント剤の有効成分として用いることもでき、加齢臭用消臭スプレー等の皮膚化粧料に配合して用いることもできる。ただし、本発明の消臭剤は、これらの用途以外にも消臭作用、特にノネナールによる臭気に対する消臭作用を発揮することに意義のあるすべての用途に用いることができる。
【００２７】
なお、本発明の消臭剤は、ヒトに対して好適に適用されるものであるが、その作用効果が奏される限り、ヒト以外の動物に対して適用することもできる。
【実施例】
【００２８】
以下、試験例を示し、本発明を具体的に説明するが、本発明は下記の試験例に何ら制限されるものではない。なお、本試験例においては、試料として、ワレモコウ根部及び根茎部からの９０容量％エタノール抽出物の濃縮乾燥物（丸善製薬社製，商品名：ジユエキスパウダー，試料１）を使用した。
【００２９】
〔試験例１〕消臭作用試験
ワレモコウ根部及び根茎部からの抽出物（試料１）について、下記のようにしてノネナールによる臭気に対する消臭作用を試験した。
【００３０】
５００ｍＬ三角フラスコ内に初発濃度が１４μｇ／ｍＬ（ｐｐｍ）となるようにノネナールのエタノール溶液をマイクロシリンジにて滴下し、さらに当該三角フラスコ内に試料（試料１）０．５ｇを投入し、２時間放置した。２時間後、三角フラスコ内の気体をガスタイトシリンジで採取し、下記の条件にてガスクロマトグラフィー分析を行った。また、空試験として、試料を投入しない以外は同様にしてガスクロマトグラフィー分析をった。
【００３１】
＜ガスクロマトグラフィー条件＞
使用装置：ＧＣ２０１０（島津製作所社製）
カラム：ＤＢ−５（内径：０．２５ｍｍ，長さ：３０ｍ，膜厚：０．２５μｍ，アジレント・テクノロジー社製）
カラム温度：６０→７０℃（１℃／ｍｉｎ），７０℃（保持時間：１０ｍｉｎ），７０→１２０℃（３℃／ｍｉｎ），１２０→２５０（２０℃／ｍｉｎ），２５０℃（保持時間：５ｍｉｎ）
注入口温度：２８０℃
検出器：ＦＩＤ（２８０℃）
試料注入量：１ｍＬ
スプリット比：１：１０
キャリアガス：Ｎ２
キャリアガス流速：１ｍＬ／ｍｉｎ
【００３２】
上述のようにして測定した測定値に基づいて、下記式によりノネナール減少率（％）を算出した。
ノネナール減少率(％)＝{(Ｓｂ−Ｓｍ)／Ｓｂ}×１００
式中、Ｓｂは「試料滴下時におけるピーク面積」を表し、Ｓｍは「空試験におけるピーク面積」を表す。
【００３３】
上記試験の結果、ノネナール減少率は７３．１％であった。この結果から明らかなように、ワレモコウの根部及び根茎部からの抽出物は、ノネナールによる臭気に対する優れた消臭作用を有することが確認され、加齢臭の予防・改善に効果的であると考えられた。
【産業上の利用可能性】
【００３４】
本発明の消臭剤及び消臭材は、特に加齢に伴って特異的に生じる体臭である加齢臭の予防又は改善に有用である。